(57)【要約】  ワイヤロープ探傷装置の出力の異常の有無をより確実に確認することができるワイヤロープ探傷装置の出力確認装置を得る。パイプと、パイプの内側を移動する試験体とを備え、パイプは、ワイヤロープ探傷装置がワイヤロープの損傷を検出する場合にワイヤロープ探傷装置におけるワイヤロープが移動する部分であるワイヤロープ設置部に設置され、試験体は、非磁性材料から構成された試験片ガイドと、試験片ガイドに設けられ、磁性材料から構成された試験片とを有している。
2019146742.tif 000002
【特許請求の範囲】
【請求項１】
パイプと、
前記パイプの内側を移動する試験体と
を備え、
前記パイプは、ワイヤロープ探傷装置がワイヤロープの損傷を検出する場合に前記ワイヤロープ探傷装置における前記ワイヤロープが移動する部分であるワイヤロープ設置部に設置され、
前記試験体は、
非磁性材料から構成された試験片ガイドと、
前記試験片ガイドに設けられ、磁性材料から構成された試験片と
を有しているワイヤロープ探傷装置の出力確認装置。
【請求項２】
前記試験片ガイドは、前記試験片の側面を覆う側面被覆部を有している請求項１に記載のワイヤロープ探傷装置の出力確認装置。
【請求項３】
前記試験体には、前記試験体の移動方向に延びる貫通孔が形成されている請求項１または請求項２に記載のワイヤロープ探傷装置の出力確認装置。
【請求項４】
前記試験体の下端部における側面には、下方に向かうにつれて前記試験体の幅方向寸法が小さくなる傾斜面が形成されている請求項１から請求項３までの何れか一項に記載のワイヤロープ探傷装置の出力確認装置。
【請求項５】
前記試験体は、前記試験片に重ねられる試験片スペーサをさらに有している請求項１から請求項４までの何れか一項に記載のワイヤロープ探傷装置の出力確認装置。
【請求項６】
前記パイプの側壁には、前記試験体の移動方向に延びる切欠きが形成されている請求項１から請求項５までの何れか一項に記載のワイヤロープ探傷装置の出力確認装置。
【請求項７】
前記試験体は、前記試験片ガイドから前記切欠きを通って前記パイプの外側まで延びるつまみをさらに有している請求項６に記載のワイヤロープ探傷装置の出力確認装置。
【請求項８】
前記パイプの周囲に設けられ、磁性材料から構成された磁気遮蔽物をさらに備え、
前記磁気遮蔽物は、前記パイプが前記ワイヤロープ設置部に設置された場合に、前記ワイヤロープ設置部の周囲に配置される請求項１から請求項７までの何れか一項に記載のワイヤロープ探傷装置の出力確認装置。
【請求項９】
間隔をおいて互いに平行に配置された複数の前記パイプのそれぞれに設けられる複数の前記試験体と、
互いに隣り合う前記パイプの間に設けられる前記磁気遮蔽物と
を備えた請求項８に記載のワイヤロープ探傷装置の出力確認装置。
【請求項１０】
前記磁気遮蔽物は、
磁性材料から構成された磁気遮蔽プレートと、
前記パイプが前記ワイヤロープ設置部に設置された場合に前記ワイヤロープ探傷装置と前記磁気遮蔽プレートとの間に設けられ、非磁性材料から構成されたスペーサと
を有している請求項８に記載のワイヤロープ探傷装置の出力確認装置。
【請求項１１】
前記磁気遮蔽物は、前記パイプが前記ワイヤロープ設置部に設置された場合に前記スペーサを前記ワイヤロープ探傷装置に向かって押す力付与部材をさらに有している請求項１０に記載のワイヤロープ探傷装置の出力確認装置。
【請求項１２】
前記パイプに設けられた移動開始位置調整部をさらに備え、
前記試験体は、前記試験体の上面が前記移動開始位置調整部の下面に当てられた位置から移動する請求項１から請求項１１までの何れか一項に記載のワイヤロープ探傷装置の出力確認装置。
【請求項１３】
前記移動開始位置調整部は、
前記パイプに設けられる支持部と、
前記支持部に設けられ、前記試験体の上面に当てられる移動開始位置調整部本体と
を有し、
前記移動開始位置調整部本体は、前記支持部に対する前記試験体の移動方向についての位置が変更可能となっている請求項１２に記載のワイヤロープ探傷装置の出力確認装置。
【請求項１４】
前記パイプは、前記支持部に対して前記パイプの軸方向に移動可能となっており、
前記支持部の下面は、前記ワイヤロープ探傷装置の上面に接触される請求項１３に記載のワイヤロープ探傷装置の出力確認装置。
【発明の詳細な説明】
【技術分野】
【０００１】
この発明は、ワイヤロープの損傷を検出するワイヤロープ探傷装置の出力を検査し、確認するワイヤロープ探傷装置の出力確認装置に関する。
【背景技術】
【０００２】
従来、円筒形状のパイプと、パイプに内部に設けられ、パイプに沿って落下する落下体とを備えたワイヤロープ探傷装置の出力確認装置が知られている。落下体は、球状に形成されている。また、落下体は、磁性材料から構成されている。パイプは、ワイヤロープ探傷装置におけるワイヤロープが走行する部分に設置される。ワイヤロープ探傷装置におけるワイヤロープが走行する部分をワイヤロープ設置部とする。パイプは、落下体が落下するように、水平面から立てた状態でワイヤロープ設置部に設けられる。パイプがワイヤロープ設置部に設けられた状態で、落下体はパイプの内側を移動する。ワイヤロープ探傷装置は、磁気センサを備えている。ワイヤロープ探傷装置は、落下体がワイヤロープ設置部の横を通過する時に磁気センサが検出する磁束に基づいて、信号を出力する。ワイヤロープ探傷装置から出力される信号に基づいて、ワイヤロープ探傷装置の出力の異常の有無が確認される。
【先行技術文献】
【特許文献】
【０００３】
【特許文献１】特開２０１２−１５４７２９号公報
【発明の概要】
【発明が解決しようとする課題】
【０００４】
しかしながら、ワイヤロープ探傷装置のワイヤロープ設置部には、磁石が使用されている。したがって、落下体とワイヤロープ設置部との間には、磁力が働く。これにより、落下体は、ワイヤロープ設置部から吸引力を受ける。落下体が受ける吸引力が大きい場合には、落下体の落下が妨げられる。この場合に、ワイヤロープ探傷装置の出力の異常の有無を確認することができないという課題があった。【０００５】
この発明は、上述のような課題を解決するためになされたものであり、その目的は、ワイヤロープ探傷装置の出力の異常の有無をより確実に確認することができるワイヤロープ探傷装置の出力確認装置を提供するものである。
【課題を解決するための手段】
【０００６】
この発明に係るワイヤロープ探傷装置の出力確認装置は、パイプと、パイプの内側を移動する試験体とを備え、パイプは、ワイヤロープ探傷装置がワイヤロープの損傷を検出する場合にワイヤロープ探傷装置におけるワイヤロープが移動する部分であるワイヤロープ設置部に設置され、試験体は、非磁性材料から構成された試験片ガイドと、試験片ガイドに設けられ、磁性材料から構成された試験片とを有している。
【発明の効果】
【０００７】
この発明に係るワイヤロープ探傷装置の出力確認装置によれば、試験体は、非磁性材料から構成された試験片ガイドと磁性材料から構成された試験片とを有している。これにより、試験片の重量を変えることなく試験体の重量を大きくすることができる。したがって、試験体とワイヤロープ探傷装置のワイヤロープ設置部との間に働く磁力によって試験体の落下が妨げられることを抑制することができる。その結果、ワイヤロープ探傷装置の出力の異常の有無をより確実に確認することができる。
【図面の簡単な説明】
【０００８】
【図１】この発明の実施の形態１に係るワイヤロープ探傷装置の出力確認装置が適用されるワイヤロープ探傷装置とこのワイヤロープ探傷装置によって損傷が確認されるワイヤロープとのそれぞれの側面を示す模式図である。
【図２】図１のワイヤロープ探傷装置を示す斜視図である。
【図３】図２のワイヤロープ探傷装置を示す分解斜視図である。
【図４】図１のワイヤロープ探傷装置の出力を確認し、検査するワイヤロープ探傷装置の出力確認装置を示す斜視図である。
【図５】図４の試験体を示す斜視図である。
【図６】図５の試験体を示す縦断面図である。
【図７】図４の移動開始位置調整部を示す斜視図である。
【図８】図７の移動開始位置調整部を示す縦断面図である。
【図９】図４のワイヤロープ探傷装置の出力確認装置にワイヤロープ探傷装置が取り付けられた状態の側面を示す模式図である。
【図１０】図４のワイヤロープ探傷装置の出力確認装置を用いてワイヤロープ探傷装置の出力を確認する手順を示すフローチャートである。
【図１１】図４のワイヤロープ探傷装置の出力確認装置の変形例を示す斜視図である。
【図１２】この発明の実施の形態２に係るワイヤロープ探傷装置の出力確認装置における試験体を示す斜視図である。
【図１３】図１２の試験体を示す縦断面図である。
【図１４】この発明の実施の形態３に係るワイヤロープ探傷装置の出力確認装置を示す斜視図である。
【図１５】図１４の最外磁気遮蔽物を示す横断面図である。
【図１６】図１４の最外磁気遮蔽物としてつまみねじを用いた場合を示す横断面図である。
【発明を実施するための形態】
【０００９】
実施の形態１．
図１は、この発明の実施の形態１に係るワイヤロープ探傷装置の出力確認装置が適用されるワイヤロープ探傷装置とこのワイヤロープ探傷装置によって損傷が確認されるワイヤロープとのそれぞれの側面を示す模式図である。ワイヤロープ探傷装置１は、ワイヤロープ２の損傷を検出する。ワイヤロープ２は、エレベータ、工事用クレーンなどに用いられる。ワイヤロープ探傷装置の出力確認装置は、ワイヤロープ探傷装置１の出力を検査し、ワイヤロープ探傷装置１が正常であるか異常であるかを確認するための装置である。
【００１０】
ワイヤロープ２が長期間に渡って使用されることによって、ワイヤロープ２には、摩耗、腐食などが生じる。これにより、ワイヤロープ２には、破損、断線などの損傷が生じる。したがって、ワイヤロープ２の交換は、定期的に行われる。ワイヤロープ２の損傷を検出する方法としては、一定の速度で走行するワイヤロープ２の長手方向の一部区間を磁石によって用いて磁化させ、ワイヤロープ２の損傷部から漏洩する磁束を検出する方法がある。ワイヤロープ探傷装置１は、損傷部から漏洩する磁束を検出することによって、ワイヤロープ２の損傷を検出する。
【００１１】
ワイヤロープ探傷装置１は、それぞれが互いに離れて設けられた一対の永久磁石１１と、磁気センサ１２とを備えている。一対の永久磁石１１は、ワイヤロープ２の長手方向に互いに離れて配置される。一対の永久磁石１１の中の一方を第１永久磁石１１ａとし、他方を第２永久磁石１１ｂとする。磁気センサ１２は、第１永久磁石１１ａと第２永久磁石１１ｂとの間に配置されている。磁気センサ１２は、ワイヤロープ２の損傷部から発生する漏洩磁束を検出する。
【００１２】
また、ワイヤロープ探傷装置１は、一対の永久磁石１１のそれぞれが固定されたバックヨーク１３と、一対の永久磁石１１のそれぞれに設けられた一対のポールピース１４とをさらに備えている。一対のポールピース１４の中の一方を第１ポールピース１４ａとし、他方を第２ポールピース１４ｂとする。第１ポールピース１４ａは、第１永久磁石１１ａに固定されている。第２ポールピース１４ｂは、第２永久磁石１１ｂに固定されている。磁気センサ１２は、バックヨーク１３に固定されている。
【００１３】
バックヨーク１３、第１ポールピース１４ａおよび第２ポールピース１４ｂのそれぞれは、磁性材料から構成されている。
【００１４】
第１永久磁石１１ａおよび第２永久磁石１１ｂは、ワイヤロープ探傷装置１にワイヤロープ２が装着された場合に、ワイヤロープ２を磁化させる。つまり、第１永久磁石１１ａおよび第２永久磁石１１ｂは、ワイヤロープ２を磁化させる磁化器として機能する。ワイヤロープ２が磁化することによって、第１永久磁石１１ａ、第２永久磁石１１ｂ、バックヨーク１３、第１ポールピース１４ａ、第２ポールピース１４ｂおよびワイヤロープ２を通る磁気ループ３が形成される。なお、磁化器としては、永久磁石１１に限らず、電磁石を用いてもよい。
【００１５】
図２は、図１のワイヤロープ探傷装置１を示す斜視図である。図３は、図２のワイヤロープ探傷装置１を示す分解斜視図である。第１永久磁石１１ａおよび第２永久磁石１１ｂは、ワイヤロープ２を磁化するためのものである。バックヨーク１３は、第１永久磁石１１ａおよび第２永久磁石１１ｂを繋いでいる。第１ポールピース１４ａおよび第２ポールピース１４ｂのそれぞれは、第１永久磁石１１ａおよび第２永久磁石１１ｂから発生する磁束を効率的にワイヤロープ２に流し込むためにＵ字形状に形成されている。第１ポールピース１４ａおよび第２ポールピース１４ｂの間の中心に、磁気センサ１２が配置されている。磁気センサ１２は、第１サーチコイル１２ａおよび第２サーチコイル１２ｂを有している。第１サーチコイル１２ａおよび第２サーチコイル１２ｂのそれぞれは、楕円形状に巻かれたコイルをＵ字形状に成形したものである。
【００１６】
また、ワイヤロープ探傷装置１は、永久磁石１１、磁気センサ１２およびポールピース１４を覆うカバー１５をさらに備えている。カバー１５は、永久磁石１１、磁気センサ１２およびポールピース１４がワイヤロープ２に接触することを防止する。これにより、
永久磁石１１、磁気センサ１２およびポールピース１４が保護される。
【００１７】
ワイヤロープ探傷装置１におけるワイヤロープ２が移動する部分には、Ｕ字形状の溝が形成されている。Ｕ字形状の溝は、一対のポールピース１４および磁気センサ１２に渡って形成されている。ワイヤロープ探傷装置１は、ワイヤロープ２がワイヤロープ探傷装置１に形成されたＵ字形状の溝に沿うように、設置される。ワイヤロープ探傷装置１におけるワイヤロープ２が移動する部分、すなわち、ワイヤロープ２が設置されるワイヤロープ探傷装置１におけるＵ字形状の溝が形成された部分をワイヤロープ設置部１６とする。
【００１８】
次に、ワイヤロープ探傷装置１の動作について説明する。まず、ワイヤロープ設置部１６にワイヤロープ２が設置されるように、ワイヤロープ２をワイヤロープ探傷装置１に取り付ける。なお、ワイヤロープ設置部１６にワイヤロープ２が設置されるように、ワイヤロープ探傷装置１をワイヤロープ２に取り付けてもよい。その後、ワイヤロープ２の長手方向についてワイヤロープ２をワイヤロープ探傷装置１に対して相対移動させる。ワイヤロープ２をワイヤロープ探傷装置１に対して相対移動させる方法としては、ワイヤロープ２をワイヤロープ探傷装置１に対して移動させてもよく、また、ワイヤロープ探傷装置１をワイヤロープ２に対して移動させてもよい。
【００１９】
ワイヤロープ２をワイヤロープ探傷装置１に対して相対移動させる場合であって、ワイヤロープ２における磁気センサ１２を通過する部分に損傷部がある場合に、磁気センサ１２は、ワイヤロープ２の損傷部から発生する漏洩磁束を検出する。磁気センサ１２の検出信号は、ワイヤロープ探傷装置１の出力として、磁気センサ１２に接続された図示しない端末装置に入力される。端末装置は、ワイヤロープ探傷装置１の出力に基づいてワイヤロープ２の損傷の有無を判定する判定部と、判定部の判定結果を表示する表示部とを有している。端末装置としては、例えば、パーソナルコンピュータが挙げられる。
【００２０】
図４は、図１のワイヤロープ探傷装置１の出力を確認し、検査するワイヤロープ探傷装置の出力確認装置を示す斜視図である。ワイヤロープ探傷装置の出力確認装置４Ａは、パイプ４１と、パイプ４１の内側に設けられ、パイプ４１の長手方向に沿って落下する試験体４２とを備えている。試験体４２は、落下することによってパイプ４１の内側を移動する。また、ワイヤロープ探傷装置の出力確認装置４Ａは、パイプ４１の周囲に設けられた一対の磁気遮蔽物４３と、パイプ４１の上部に設けられた移動開始位置調整部４４とを備えている。また、ワイヤロープ探傷装置の出力確認装置４Ａは、パイプ４１の上部に設けられた上枠４５と、パイプ４１の下部に設けられた下枠４６とを備えている。
【００２１】
パイプ４１は、円筒形状に形成されている。パイプ４１は、水平面に対して垂直方向、つまり、鉛直方向に延びるように配置されている。なお、パイプ４１は、パイプ４１の長手方向が水平面に対して傾斜するように配置されてもよい。ワイヤロープ探傷装置の出力確認装置４Ａをワイヤロープ探傷装置１に取り付ける場合、または、ワイヤロープ探傷装置１をワイヤロープ探傷装置の出力確認装置４Ａに取り付ける場合に、パイプ４１は、ワイヤロープ探傷装置１のワイヤロープ設置部１６に設置される。パイプ４１の外径寸法は、ワイヤロープ探傷装置１のワイヤロープ設置部１６にパイプ４１を設置することができる外径寸法となっている。この例では、パイプ４１の外径寸法は、ワイヤロープ２の直径寸法と同一となっている。
【００２２】
パイプ４１は、非磁性材料から構成されている。これにより、パイプ４１は、ワイヤロープ探傷装置１に用いられる永久磁石１１の磁力の影響を受けない。パイプ４１の側壁であってパイプ４１における長手方向両端部を除いた部分には、パイプ４１の長手方向に延びる切欠き４１１が形成されている。切欠き４１１は、パイプ４１の側壁を径方向に貫通している。パイプ４１の長手方向は、試験体４２の移動方向と一致する。パイプ４１に形成された切欠き４１１は、バリが無く、滑らかに形成されている。
【００２３】
試験体４２は、パイプ４１の内部に設けられた試験片ガイド４２１と、試験片ガイド４２１の上部に設けられた試験片４２２と、試験片ガイド４２１に設けられたつまみ４２３とを有している。
【００２４】
図５は、図４の試験体４２を示す斜視図である。図６は、図５の試験体４２を示す縦断面図である。試験片ガイド４２１は、試験体４２の落下時の衝撃による変形に耐えることができる程度の剛性を有する材料から構成されている。また、試験片ガイド４２１は、非磁性材料から構成されている。これにより、試験片ガイド４２１は、ワイヤロープ探傷装置１に用いられる永久磁石１１の磁力の影響を受けない。
【００２５】
試験片ガイド４２１は、円柱形状に形成されている。また、試験片ガイド４２１の上面には、円盤形状の凹部４２４が形成されている。試験片ガイド４２１の外周面は、バリがなく、滑らかに形成されている。試験片ガイド４２１の外周面は、パイプ４１の側壁の内周面に接触する。試験片ガイド４２１は、試験片４２２の側面を覆う側面被覆部４２５を有している。
【００２６】
試験片４２２は、円盤形状に形成されている。試験片４２２は、試験片ガイド４２１の凹部４２４に配置される。試験片４２２は、磁性材料から構成されている。
【００２７】
つまみ４２３は、試験片ガイド４２１の外周面に設けられている。また、つまみ４２３は、試験片ガイド４２１の径方向について試験片ガイド４２１の外周面から外側に向かって突出している。また、つまみ４２３は、試験片ガイド４２１の外周面から切欠き４１１を通ってパイプ４１の外側まで延びている。つまみ４２３の全長は、作業者の指につまみ４２３が引っ掛かり、作業者の指が試験体４２を簡単に持ち上げることができる程度の長さに調整されている。
【００２８】
図４に示すように、一対の磁気遮蔽物４３のそれぞれは、プレート形状に形成されている。一対の磁気遮蔽物４３の間には、パイプ４１が配置されている。ワイヤロープ探傷装置１のワイヤロープ設置部１６にパイプ４１が設置された場合に、磁気遮蔽物４３は、ワイヤロープ探傷装置１のワイヤロープ設置部１６の周囲に配置される。なお、磁気遮蔽物４３は、プレート形状に限らず、例えば、中実丸棒の形状または中空丸棒の形状であってもよい。磁気遮蔽物４３は、磁性材料から構成されている。
【００２９】
移動開始位置調整部４４は、パイプ４１の上端部が挿入されパイプ４１に設けられる支持部であるフランジカラー４４１と、フランジカラー４４１に設けられ、試験体４２の上面に当てられる移動開始位置調整部本体であるシャフト４４２とを有している。移動開始位置調整部４４は、非磁性材料から構成されている。
【００３０】
図７は、図４の移動開始位置調整部４４を示す斜視図である。図８は、図７の移動開始位置調整部４４を示す縦断面図である。シャフト４４２は、丸棒形状に形成されている。シャフト４４２の外周面には、ねじ溝が形成されている。なお、シャフト４４２は、ボルトであってもよい。
【００３１】
フランジカラー４４１は、鍔付ハット形状に形成されている。言い換えれば、フランジカラー４４１は、下面に凹部が形成された円柱形状の挿入部４４３と、挿入部４４３の長手方向一端部に設けられ、挿入部４４３よりも径方向外側に突出する鍔部４４４とを有している。挿入部４４３に形成された凹部には、パイプ４１の上端部が下方から挿入される。挿入部４４３に形成された凹部の直径寸法は、パイプ４１の外径寸法と同程度の大きさとなっている。フランジカラー４４１に対するパイプ４１の嵌め合いは、フランジカラー４４１に対してパイプ４１がパイプ４１の軸方向に移動可能となる程度の嵌め合いである。フランジカラー４４１には、シャフト４４２が挿入されるねじ孔４４５が形成されている。ねじ孔４４５は、挿入部４４３の長手方向に延びて形成されている。シャフト４４２を回転させることによって、挿入部４４３の長手方向について、フランジカラー４４１に対するシャフト４４２の位置が変化する。これにより、シャフト４４２は、フランジカラー４４１に対して試験体４２の移動方向についての位置が変更可能となる。
【００３２】
図４に示すように、上枠４５は、上プレート４５１と、上プレート４５１に設けられた上取手４５２とを有している。上枠４５は、非磁性材料から構成されている。上プレート４５１には、フランジカラー４４１が下方から挿入される貫通孔４５３が形成されている。貫通孔４５３の直径寸法は、フランジカラー４４１の挿入部４４３の外径寸法と同程度の大きさとなっている。上プレート４５１の貫通孔４５３に対するフランジカラー４４１の挿入部４４３の嵌め合いは、上プレート４５１の貫通孔４５３に対してフランジカラー４４１の挿入部４４３がパイプ４１の軸方向に移動可能となる程度の嵌め合いである。また、上プレート４５１には、磁気遮蔽物４３が下方から取り付けられる図示しない溝または穴が形成されている。上取手４５２は、上方から視た場合に、ワイヤロープ探傷装置１のバックヨーク１３と上取手４５２との間にワイヤロープ探傷装置１のワイヤロープ設置部１６が配置されるように、上プレート４５１に設けられている。
【００３３】
下枠４６は、下プレート４６１と、下プレート４６１に設けられた下取手４６２とを有している。下枠４６は、非磁性材料から構成されている。下プレート４６１には、パイプ４１の下端部が取り付けられる図示しない溝が形成されている。また、下プレート４６１には、磁気遮蔽物４３が取り付けられる図示しない溝が形成されている。下プレート４６１におけるパイプ４１の下端部が取り付けられる溝の中には、衝撃吸収材が設けられてもよい。下取手４６２は、上方から視た場合に、ワイヤロープ探傷装置１のバックヨーク１３と下取手４６２との間にワイヤロープ探傷装置１のワイヤロープ設置部１６が配置されるように、下プレート４６１に設けられている。
【００３４】
次に、ワイヤロープ探傷装置の出力確認装置４Ａを用いてワイヤロープ探傷装置１の出力を検査し、確認する手順について説明する。図９は、図４のワイヤロープ探傷装置の出力確認装置４Ａにワイヤロープ探傷装置１が取り付けられた状態の側面を示す模式図である。図１０は、図４のワイヤロープ探傷装置の出力確認装置４Ａを用いてワイヤロープ探傷装置１の出力を確認する手順を示すフローチャートである。図９では、ワイヤロープ探傷装置１の出力が入力される端末装置５と、ワイヤロープ探傷装置１および端末装置５を互いに接続するケーブル６とをさらに示している。
【００３５】
まず、ステップＳ１０１において、ワイヤロープ探傷装置設置工程を行う。ワイヤロープ探傷装置設置工程では、ワイヤロープ探傷装置１を組み立て、さらに、ワイヤロープ探傷装置１と端末装置５とをケーブル６を用いて電気的に接続する。また、ワイヤロープ探傷装置設置工程では、ワイヤロープ探傷装置１をワイヤロープ探傷装置の出力確認装置４Ａに取り付け、または、ワイヤロープ探傷装置の出力確認装置４Ａをワイヤロープ探傷装置１に取り付ける。これにより、ワイヤロープ探傷装置１のワイヤロープ設置部１６にパイプ４１が設置される。このとき、パイプ４１が水平面に対して垂直方向に延びるように、ワイヤロープ探傷装置の出力確認装置４Ａを配置する。このとき、フランジカラー４４１を押し下げて、フランジカラー４４１の下面をワイヤロープ探傷装置１の上面に接触させる。
【００３６】
その後、ステップＳ１０２において、出力取込準備工程を行う。出力取込準備工程では、端末装置５を操作して、端末装置５にワイヤロープ探傷装置１の出力が取り込められる状態にする。
【００３７】
その後、ステップＳ１０３において、試験体準備工程を行う。試験体準備工程では、作業者の指が試験体４２のつまみ４２３を持ち上げて、試験体４２をパイプ４１に対して上方に向かってスライドさせる。また、移動体準備工程では、移動開始位置調整部４４のシャフト４４２の下面に試験体４２の上面を接触させる。このとき、フランジカラー４４１の下面がワイヤロープ探傷装置１の上面に接触していることを確認する。
【００３８】
その後、ステップＳ１０４において、試験体移動工程を行う。試験体移動工程では、試験体４２のつまみ４２３から作業者の指を離す。これにより、試験体４２がパイプ４１に沿って落下する。
【００３９】
その後、ステップＳ１０５において、出力信号取込工程を行う。出力信号取込工程では、試験体４２がワイヤロープ探傷装置１の磁気センサ１２の横を通過する時の磁気センサ１２の検出信号が、ワイヤロープ探傷装置１の出力として端末装置５に取り込まれる。
【００４０】
その後、ステップＳ１０６において、異常有無判定工程を行う。異常有無判定工程では、端末装置５は、取り込まれたワイヤロープ探傷装置１の出力と、事前に測定された正常なワイヤロープ探傷装置１の出力確認時の出力とを比較して、ワイヤロープ探傷装置１が正常であるか否かを判定する。
【００４１】
ステップＳ１０６において、ワイヤロープ探傷装置１が正常ではないと判定された場合には、ステップＳ１０７において、交換校正工程を行う。交換校正工程では、磁気センサ１２の部品の交換または磁気センサ１２の校正を行う。その後、ステップＳ１０１に戻る。
【００４２】
一方、ステップＳ１０６において、ワイヤロープ探傷装置１が正常であると判定された場合には、ワイヤロープ探傷装置１の出力を検査し、ワイヤロープ探傷装置１が正常であるか異常であるかを確認する手順が終了する。その後、ワイヤロープ探傷装置１を用いて、ワイヤロープ２を点検する。
【００４３】
以上説明したように、この発明の実施の形態１に係るワイヤロープ探傷装置の出力確認装置４Ａによれば、試験体４２は、非磁性材料から構成された試験片ガイド４２１と、磁性材料から構成された試験片４２２とを有している。これにより、ワイヤロープ探傷装置１に使用される永久磁石１１から試験体４２が受ける吸引力に妨げられることなく、試験体４２が落下することができるように、試験体４２の重量を調整することができる。例えば、ワイヤロープ探傷装置１に用いられる永久磁石１１の磁力が強力であり、試験体４２が受ける吸引力が大きい場合には、試験体４２が落下するために必要な重量を有する試験片ガイド４２１に変更する。これにより、試験体４２をスムーズに落下させることができる。
【００４４】
また、試験片ガイド４２１は、試験片４２２の側面に設けられた側面被覆部４２５を含んでいる。これにより、これにより、試験体４２とパイプ４１との間の摩擦によって試験片４２２が摩耗することを防止することができる。その結果、試験片４２２の劣化によるワイヤロープ探傷装置１の出力の変動を防止することができる。
【００４５】
また、パイプ４１の側壁には、試験片４２２の移動方向に延びる切欠き４１１が形成されている。これにより、試験体４２が落下するときに、パイプ４１の内部における試験体４２よりも下方にある空気が切欠き４１１から排出される。その結果、試験体４２は、空気圧の影響が低減される。これにより、試験体４２をスムーズに落下させることができる。
【００４６】
また、試験体４２は、試験片ガイド４２１から切欠き４１１を通ってパイプ４１の外側まで延びるつまみ４２３を有している。これにより、作業者は、試験体４２を簡単に持ち上げることができる。
【００４７】
また、ワイヤロープ探傷装置１のワイヤロープ設置部１６の周囲には、磁性材料から構成された磁気遮蔽物４３が設けられている。言い換えれば、磁気遮蔽物４３は、ワイヤロープ探傷装置１のワイヤロープ設置部１６の外側に配置される。これにより、外部からの磁気がワイヤロープ探傷装置１に達することを抑制することができる。その結果、測定場所によって生じるワイヤロープ探傷装置の出力確認装置４Ａの出力のばらつきを抑制することができる。
【００４８】
また、パイプ４１の内部には、移動開始位置調整部４４が設けられている。移動開始位置調整部４４のシャフト４４２の下面と試験体４２の上面とが接触した状態で、試験体４２が落下する。これにより、試験体４２の移動が開始される時の試験体４２と磁気センサ１２との間の距離についての測定毎のばらつきを抑制することができる。その結果、端末装置５に入力されるワイヤロープ探傷装置１の出力についての測定毎のばらつきを抑制することができる。
【００４９】
また、移動開始位置調整部４４は、パイプ４１が挿入されパイプ４１に設けられるフランジカラー４４１と、フランジカラー４４１に設けられ、試験体４２の上面に当てられるシャフト４４２とを有している。シャフト４４２は、フランジカラー４４１に対する試験体４２の移動方向についての位置が変更可能となっている。これにより、試験体４２の移動が開始される時の試験体４２の位置を自由に設定することができる。
【００５０】
また、移動開始位置調整部４４のフランジカラー４４１は、フランジカラー４４１に対してパイプ４１がパイプ４１の軸方向について移動可能となっている。これにより、フランジカラー４４１の下面にワイヤロープ探傷装置１の上面を接触させた状態で、試験体４２の移動が開始される時の試験体４２の位置を設定することができる。したがって、試験体４２の移動開始位置の基準は、ワイヤロープ探傷装置１の上面となる。これにより、ワイヤロープ探傷装置の出力確認装置４Ａにワイヤロープ探傷装置１を取り付けた際に生じるパイプ４１の軸方向に対するワイヤロープ探傷装置１の取付位置の誤差によらずに、試験体４２の移動開始位置を一定にすることができる。その結果、測定毎の測定結果のばらつきを抑制することができる。
【００５１】
また、試験体４２がパイプ４１の内側に配置され、さらに、パイプ４１の下端部が下枠４６により塞がれている。これにより、試験体４２を落下させた場合に、パイプ４１よりも下方に試験体４２が落下することを防止することができる。したがって、作業者が手を用いて、落下する試験体４２を捕る必要がない。その結果、作業者は、片手だけでワイヤロープ探傷装置１の出力確認作業を行うことができる。
【００５２】
なお、上記実施の形態１では、１個のパイプ４１と、１個の試験体４２と、１個の移動開始位置調整部４４とを備えたワイヤロープ探傷装置の出力確認装置４Ａについて説明した。これに対して、図１１に示すように、複数のパイプ４１、複数の試験体４２、複数の移動開始位置調整部４４を備えたワイヤロープ探傷装置の出力確認装置４Ｂであってもよい。この場合に、複数のパイプ４１のそれぞれは、間隔をおいて互いに平行に配置される。また、この場合に、複数のパイプ４１のそれぞれに複数の試験体４２が１個ずつ配置される。また、この場合に、磁気遮蔽物４３は、互いに隣り合うパイプ４１の間にも配置される。これにより、複数のワイヤロープ探傷装置１のそれぞれのワイヤロープ設置部１６の周囲は、磁気遮蔽物４３によって区切られる。したがって、隣り合うワイヤロープ探傷装置１のワイヤロープ設置部１６の互いの影響を抑制することができるとともに、同時にワイヤロープ探傷装置１の出力確認を行うことができる。この場合、特に、エレベータにおける隣接する複数のワイヤロープの損傷を同時に検出するワイヤロープ探傷装置１の出力確認を行う場合に用いることができる。
【００５３】
実施の形態２．
図１２は、この発明の実施の形態２に係るワイヤロープ探傷装置の出力確認装置における試験体を示す斜視図である。図１３は、図１２の試験体を示す縦断面図である。実施の形態２に係るワイヤロープ探傷装置の出力確認装置４Ｃは、試験体４７の構成において、実施の形態１に係るワイヤロープ探傷装置の出力確認装置４Ａと異なる。
【００５４】
試験体４７は、試験片ガイド下部４７１と、試験片ガイド下部４７１の上部に設けられる試験片ガイド上部４７２と、試験片ガイド下部４７１の内部に設けられる試験片４７３とを有している。また、試験体４７は、試験片ガイド下部４７１の内部に設けられる試験片スペーサ４７４と、試験片ガイド下部４７１に設けられたつまみ４７５とを有している。
【００５５】
試験片ガイド下部４７１の下端部は、試験体４７の下端部となる。試験片ガイド下部４７１は、円筒形状に形成されている。また、試験片ガイド下部４７１の下端部の側面には、下方に向かうにつれて試験体４７の幅方向寸法が小さくなる傾斜面４７６が形成されている。試験片ガイド下部４７１の上面には、円盤形状の凹部４７７が形成されている。試験片ガイド下部４７１は、非磁性材料から構成されている。また、試験片ガイド下部４７１は、試験体４７の落下時の衝撃による変形に耐えることができる程度の剛性を有する材料から構成されている。
【００５６】
試験片ガイド上部４７２は、円盤形状に形成されている。試験片ガイド上部４７２は、試験片ガイド下部４７１の凹部４７７を上方から覆うように配置される。試験片ガイド上部４７２は、非磁性材料から構成されている。
【００５７】
試験片４７３は、円盤形状に形成されている。試験片４７３は、試験片ガイド下部４７１の凹部４７７に配置される。試験片４７３は、磁性材料から構成されている。
【００５８】
試験片スペーサ４７４は、円盤形状に形成されている。試験片スペーサ４７４は、試験片ガイド下部４７１の凹部４７７に配置される。試験片スペーサ４７４は、試験片４７３に重ねられる。試験片スペーサ４７４は、非磁性材料から構成されている。
【００５９】
つまみ４７５は、試験片ガイド下部４７１の外周面に設けられている。つまみ４７５は、試験片ガイド下部４７１の径方向について試験片ガイド下部４７１の外周面から外側に向かって突出している。つまみ４７５は、試験片ガイド下部４７１の外周面から切欠き４１１を通ってパイプ４１の外側まで延びている。つまみ４７５の全長は、作業者の指に引っ掛かり、作業者の指が試験体４７を簡単に持ち上げることができる程度の長さに調整されている。
【００６０】
試験片ガイド下部４７１、試験片ガイド上部４７２、試験片４７３、試験片スペーサ４７４のそれぞれには、試験体４７の移動方向に延びる貫通孔４７８が形成されている。言い換えれば、試験体４７には、試験体４７の移動方向に延びる貫通孔４７８が形成されている。その他の構成は、実施の形態１と同様である。また、ワイヤロープ探傷装置の出力確認装置４Ｃを用いてワイヤロープ探傷装置１の出力を確認する手順は、実施の形態１と同様である。
【００６１】
以上説明したように、この発明の実施の形態２に係るワイヤロープ探傷装置の出力確認装置４Ｃによれば、試験体４７には、試験体４７の移動方向に延びる貫通孔４７８が形成されている。これにより、試験体４７が移動する場合に貫通孔４７８に空気が流れる。したがって、試験体４７は、滑らかに移動することができる。その結果、ワイヤロープ探傷装置１から出力される検出信号のばらつきを抑制することができる。
【００６２】
また、試験片ガイド下部４７１の下端部の側面には、下方に向かうにつれて試験体４７の幅方向寸法が小さくなる傾斜面４７６が形成されている。これにより、試験体４７が移動する場合に試験体４７が受ける空気抵抗を低減させることができる。したがって、試験体４７は、滑らかに落下することができる。その結果、ワイヤロープ探傷装置１から出力される検出信号のばらつきを抑制することができる。
【００６３】
また、試験片４７３および試験片スペーサ４７４が互いに重ねられて試験片ガイド下部４７１の凹部４７７に配置されている。これにより、試験片４７３および試験片スペーサ４７４のそれぞれの厚さ方向の寸法を調整することによって、試験体４７の重量を容易に調整することができる。この場合に、試験片４７３および試験片スペーサ４７４のそれぞれの厚さ方向の寸法の合計が変化しないようにする。
【００６４】
また、試験片ガイド上部４７２の厚さ方向の寸法を変更することによって、試験体４７に作用する移動方向への力を調整することができる。これにより、ワイヤロープ探傷装置１に使用される永久磁石１１によって試験体４７に作用する吸引力に対して、試験体４７が落下するために必要な落下方向への力を簡単に調整することができる。
【００６５】
実施の形態３．
図１４は、この発明の実施の形態３に係るワイヤロープ探傷装置の出力確認装置を示す斜視図である。実施の形態３に係るワイヤロープ探傷装置の出力確認装置４Ｄは、配置された複数の磁気遮蔽物４３のうち、並べられた方向について最も外側に位置する一対の磁気遮蔽物４３の構成において、実施の形態１および実施の形態２と異なる。並べられた方向について最も外側に位置する一対の磁気遮蔽物４３のそれぞれを最外磁気遮蔽物４８Ａとする。
【００６６】
図１５は、図１４の最外磁気遮蔽物４８Ａを示す横断面図である。最外磁気遮蔽物４８Ａは、磁気遮蔽プレート４８１と、磁気遮蔽プレート４８１に対向して設けられたスペーサ４８２とを有している。また、最外磁気遮蔽物４８Ａは、磁気遮蔽プレート４８１およびスペーサ４８２に渡って設けられた段付きボルト４８３と、磁気遮蔽プレート４８１およびスペーサ４８２の間に設けられたばね４８４とを有している。
【００６７】
磁気遮蔽プレート４８１は、磁性材料から構成されている。磁気遮蔽プレート４８１は、プレート形状に形成されている。
【００６８】
スペーサ４８２は、非磁性材料から構成されている。スペーサ４８２は、プレート形状に形成されている。スペーサ４８２には、座繰り付孔４８５が形成されている。座繰り付孔４８５には、段付きボルト４８３が挿入されている。スペーサ４８２は、段付きボルト４８３を用いて、磁気遮蔽プレート４８１に取り付けられる。スペーサ４８２は、段付きボルト４８３の軸方向について、磁気遮蔽プレート４８１に対して移動可能となっている。スペーサ４８２は、磁気遮蔽プレート４８１の上部および下部に設けられる。スペーサ４８２には、ワイヤロープ探傷装置１の挿入方向について、ワイヤロープ探傷装置１がスムーズに挿入可能となる程度の傾斜面４８６が形成されている。
【００６９】
段付きボルト４８３は、非磁性材料から構成されている。段付きボルト４８３は、スペーサ４８２が移動して、磁気遮蔽プレート４８１に接触する場合に、段付きボルト４８３の頭部がスペーサ４８２における磁気遮蔽プレート４８１とは反対側の面から突出しないものが選定される。
【００７０】
ばね４８４は、非磁性材料から構成されている。ばね４８４は、磁気遮蔽プレート４８１とスペーサ４８２との間に配置されている。ばね４８４は、パイプがワイヤロープ設置部１６に設置された場合にスペーサ４８２をワイヤロープ探傷装置１に向かって押す力付与部材となっている。
【００７１】
最外磁気遮蔽物４８Ａは、ワイヤロープ探傷装置の出力確認装置４Ｄがワイヤロープ探傷装置１に取り付けられた場合に、パイプ４１と磁気遮蔽プレート４８１との間にスペーサ４８２が配置される。
【００７２】
なお、図１６に示す最外磁気遮蔽物４８Ｂのように、ばね４８４の代わりに、つまみねじ４８７を有してもよい。つまみねじ４８７は、段付きボルト４８３の軸方向に磁気遮蔽プレート４８１を貫通する。つまみねじ４８７は、非磁性材料から構成される。
【００７３】
図１５および図１６において、その他の構成は、実施の形態１または実施の形態２と同様である。また、ワイヤロープ探傷装置の出力確認装置４Ｄを用いてワイヤロープ探傷装置１の出力を確認する手順は、実施の形態１または実施の形態２と同様である。なお、実施の形態３では、ステップＳ１０１において、ワイヤロープ探傷装置１をワイヤロープ探傷装置の出力確認装置４Ｄに取り付ける場合に、つまみねじ４８７を締め、ワイヤロープ探傷装置１をスペーサ４８２によって押す。
【００７４】
以上説明したように、この発明の実施の形態３に係るワイヤロープ探傷装置の出力確認装置４Ｄによれば、パイプ４１がワイヤロープ設置部１６に設置された場合にパイプ４１と磁気遮蔽プレート４８１との間にスペーサ４８２が配置される。これにより、ワイヤロープ探傷装置１が磁気遮蔽プレート４８１に接触することが防止される。その結果、ワイヤロープ探傷装置の出力確認装置４Ｄの検出信号の精度が低下することを抑制することができる。
【００７５】
また、パイプ４１がワイヤロープ設置部１６に設置された場合にスペーサ４８２がパイプ４１に向かって押される。これにより、ワイヤロープ探傷装置１から最外磁気遮蔽物４８Ａに向かう方向に働く磁力による吸引力に相対する力をワイヤロープ探傷装置１に与えることができる。したがって、ワイヤロープ探傷装置１の取付位置のばらつきが低減される。その結果、ワイヤロープ探傷装置の出力確認装置４Ｄの検出信号の出力のばらつきの発生を抑制することができる。
【符号の説明】
【００７６】
１  ワイヤロープ探傷装置、２  ワイヤロープ、３  磁気ループ、４Ａ、４Ｂ、４Ｃ、４Ｄ  ワイヤロープ探傷装置の出力確認装置、５  端末装置、６  ケーブル、１１  永久磁石、１１ａ  第１永久磁石、１１ｂ  第２永久磁石、１２  磁気センサ、１２ａ  第１サーチコイル、１２ｂ  第２サーチコイル、１３  バックヨーク、１４  ポールピース、１４ａ  第１ポールピース、１４ｂ  第２ポールピース、１５  カバー、１６  ワイヤロープ設置部、４１  パイプ、４２  試験体、４３  磁気遮蔽物、４４  移動開始位置調整部、４５  上枠、４６  下枠、４７  試験体、４８Ａ、４８Ｂ  最外磁気遮蔽物、４１１  切欠き、４２１  試験片ガイド、４２２  試験片、４２３  つまみ、４２４  凹部、４２５  側面被覆部、４４１  フランジカラー、４４２  シャフト、４４３  挿入部、４４４  鍔部、４４５  ねじ孔、４５１  上プレート、４５２  上取手、４５３  貫通孔、４６１  下プレート、４６２  下取手、４７１  試験片ガイド下部、４７２  試験片ガイド上部、４７３  試験片、４７４  試験片スペーサ、４７５  つまみ、４７６  傾斜面、４７７  凹部、４７８  貫通孔、４８１  磁気遮蔽プレート、４８２  スペーサ、４８３  段付きボルト、４８４  ばね、４８５  座繰り付孔、４８６  傾斜面、４８７  つまみねじ。
【図１】
2019146742.tif 000003
【図２】
2019146742.tif 000004
【図３】
2019146742.tif 000005
【図４】
2019146742.tif 000006
【図５】
2019146742.tif 000007
【図６】
2019146742.tif 000008
【図７】
2019146742.tif 000009
【図８】
2019146742.tif 000010
【図９】
2019146742.tif 000011
【図１０】
2019146742.tif 000012
【図１１】
2019146742.tif 000013
【図１２】
2019146742.tif 000014
【図１３】
2019146742.tif 000015
【図１４】
2019146742.tif 000016
【図１５】
2019146742.tif 000017
【図１６】
2019146742.tif 000018
【手続補正書】
【提出日】令和2年2月25日(2020.2.25)
【手続補正１】
【補正対象書類名】明細書
【補正対象項目名】０００６
【補正方法】変更
【補正の内容】
【０００６】
この発明に係るワイヤロープ探傷装置の出力確認装置は、パイプと、パイプの内側を移動する試験体とを備え、パイプは、ワイヤロープ探傷装置がワイヤロープの損傷を検出する場合にワイヤロープ探傷装置におけるワイヤロープ設置部に設置され、試験体は、非磁性材料から構成された試験片ガイドと、試験片ガイドに配置され、磁性材料から構成された試験片とを有している。
【手続補正２】
【補正対象書類名】特許請求の範囲
【補正対象項目名】全文
【補正方法】変更
【補正の内容】
【特許請求の範囲】
【請求項１】
パイプと、
前記パイプの内側を移動する試験体と
を備え、
前記パイプは、ワイヤロープ探傷装置がワイヤロープの損傷を検出する場合に前記ワイヤロープ探傷装置におけるワイヤロープ設置部に設置され、
前記試験体は、
非磁性材料から構成された試験片ガイドと、
前記試験片ガイドに配置され、磁性材料から構成された試験片と
を有しているワイヤロープ探傷装置の出力確認装置。
【請求項２】
前記試験片ガイドは、前記試験片の側面を覆う側面被覆部を有している請求項１に記載のワイヤロープ探傷装置の出力確認装置。
【請求項３】
前記試験体には、前記試験体の移動方向に延びる貫通孔が形成されている請求項１または請求項２に記載のワイヤロープ探傷装置の出力確認装置。
【請求項４】
前記試験体の下端部における側面には、下方に向かうにつれて前記試験体の幅方向寸法が小さくなる傾斜面が形成されている請求項１から請求項３までの何れか一項に記載のワイヤロープ探傷装置の出力確認装置。
【請求項５】
前記試験体は、前記試験片に重ねられる試験片スペーサをさらに有している請求項１から請求項４までの何れか一項に記載のワイヤロープ探傷装置の出力確認装置。
【請求項６】
前記パイプの側壁には、前記試験体の移動方向に延びる切欠きが形成されている請求項１から請求項５までの何れか一項に記載のワイヤロープ探傷装置の出力確認装置。
【請求項７】
前記試験体は、前記試験片ガイドから前記切欠きを通って前記パイプの外側まで延びるつまみをさらに有している請求項６に記載のワイヤロープ探傷装置の出力確認装置。
【請求項８】
前記パイプの周囲に配置され、磁性材料から構成された磁気遮蔽物をさらに備え、
前記磁気遮蔽物は、前記パイプが前記ワイヤロープ設置部に設置された場合に、前記ワイヤロープ設置部の周囲に配置される請求項１から請求項７までの何れか一項に記載のワイヤロープ探傷装置の出力確認装置。
【請求項９】
間隔をおいて互いに平行に配置された複数の前記パイプのそれぞれに配置される複数の前記試験体と、
互いに隣り合う前記パイプの間に配置される前記磁気遮蔽物と
を備えた請求項８に記載のワイヤロープ探傷装置の出力確認装置。
【請求項１０】
前記磁気遮蔽物は、
磁性材料から構成された磁気遮蔽プレートと、
前記パイプが前記ワイヤロープ設置部に設置された場合に前記ワイヤロープ探傷装置と前記磁気遮蔽プレートとの間に配置され、非磁性材料から構成されたスペーサと
を有している請求項８に記載のワイヤロープ探傷装置の出力確認装置。
【請求項１１】
前記磁気遮蔽物は、前記パイプが前記ワイヤロープ設置部に設置された場合に前記スペーサを前記ワイヤロープ探傷装置に向かって押す力付与部材をさらに有している請求項１０に記載のワイヤロープ探傷装置の出力確認装置。
【請求項１２】
前記パイプに配置された移動開始位置調整部をさらに備え、
前記試験体は、前記試験体の上面が前記移動開始位置調整部の下面に当てられた位置から移動する請求項１から請求項１１までの何れか一項に記載のワイヤロープ探傷装置の出力確認装置。
【請求項１３】
前記移動開始位置調整部は、
前記パイプに配置される支持部と、
前記支持部に配置され、前記試験体の上面に当てられる移動開始位置調整部本体と
を有し、
前記移動開始位置調整部本体は、前記支持部に対する前記試験体の移動方向についての位置が変更可能となっている請求項１２に記載のワイヤロープ探傷装置の出力確認装置。
【請求項１４】
前記パイプは、前記支持部に対して前記パイプの軸方向に移動可能となっており、
前記支持部の下面は、前記ワイヤロープ探傷装置の上面に接触される請求項１３に記載のワイヤロープ探傷装置の出力確認装置。
【国際調査報告】
2019146742.tif 000019
2019146742.tif 000020
2019146742.tif 000021
2019146742.tif 000022